(57)【特許請求の範囲】
【請求項１】
箱形本体の内部中間に、耐熱鋼板製で、燃焼用通気部を備えた火皿部の周囲に位置決め凹部を設けると共に、前記凹部外周に通気口を設けた目皿体を配置し、下縁が前記位置決め凹部と対応し且つ上方が拡がった傾斜側面を備えた耐熱鋼板製の周壁体を、前記目皿体の火皿部上に載置し、箱形本体側面に、目皿体位置より下方で燃焼用空気導入口となる下方通気口と、目皿体位置より上方で周壁体傾斜側面によって温められた空気の放出口となる下方通気口とを形成し、本体内の火皿部下方に、外部手動ポンプと連結可能とした空気放出管を配設してなることを特徴とする卓上用炭火コンロ。
【発明の詳細な説明】
【０００１】
【産業上の利用分野】
本発明は卓上用炭火コンロに関するものである。
【０００２】
【従来の技術及び発明が解決しようとする課題】
卓上用の炭火コンロは、基本的に七輪と同様に金属板で形成した本体内部の中間に目皿体を配置し、目皿体下方に空気導入口を設け、目皿体上で炭を燃焼させて、所定の網焼き調理や鉄板調理を行っている。
【０００３】
コンロ本体を金属板で形成すると、外周部分が熱くなって危険であるので、本体を二重構造や三重構造として、外側表面が熱せられないような構成を採用している（特開２００１−１０８２３８、実登３０７０７９８号）。
【０００４】
しかし二重構造や三重構造とすると、コンロ全体が嵩張ってしまい、狭い卓上での使用には必ずしも適しているとは言えない。
【０００５】
また炭を燃料として採用した場合には、炭全体が赤くなって燃えた状態での調理は最適であるが、コンロ内に置いた炭に点火して赤熱状態にするには時間を要することになり、屋内外でのバーべキューへの使用には不便である。
【０００６】
また実開昭６４−１６３４号公報には、送風機による燃焼空気供給手段が開示されているが、前記公知のコンロは、目皿体を備えておらず、燃焼用空気の炭への供給調整は、送風機の動作制御となり、家庭用として必ずしも適しているとはいえない。
【０００７】
そこで本発明は、屋内外で家庭用として使用するのに適した簡易構造の卓上用炭火コンロを提案したものである。
【０００８】
【課題を解決する手段】
本発明に係る卓上用炭火コンロは、箱形本体の内部中間に、耐熱鋼板製で、燃焼用通気部を備えた火皿部の周囲に位置決め凹部を設けると共に、前記凹部外周に通気口を設けた目皿体を配置し、下縁が前記位置決め凹部と対応し且つ上方が拡がった傾斜側面を備えた耐熱鋼板製の周壁体を、前記目皿体の火皿部上に載置し、箱形本体側面に、目皿体位置より下方で燃焼用空気導入口となる下方通気口と、目皿体位置より上方で周壁体傾斜側面によって温められた空気の放出口となる下方通気口とを形成し、本体内の火皿部下方に、外部手動ポンプと連結可能とした空気放出管を配設してなることを特徴とするものである。
【０００９】
而して空気放出管に公知の手動ポンプを連結し、火皿部上に炭を置き、点火後に手動ポンプを動作させると、フイゴ作用によって炭が短時間で赤熱状態となり、ポンプ停止後には、本体側面の通気口から燃焼用空気が流れ込み火皿部を通過して赤熱した炭に供給され、ゆっくりとした燃焼が継続して所望の調理を実施することができる。また本体内導入空気は、目皿体の周囲通気口を通過し、本体上方通気口から流れ出るので、周壁体の熱は、本体側面に伝わり難く、本体が熱くならない。
【００１０】
【実施の形態】
次に本発明の実施の形態について説明する。実施形態に示したコンロは、本体１、目皿体２、周壁体３、焼き網４、ポンプ５で構成される。
【００１１】
本体１は、所定の金属板で箱形形状（直方体形状や円盤形状）に形成したもので、底面には、引き出し構造に形成した水盤部１１を設け、内部中間に目皿受け１２を設けてなる。更に側面には、前記目皿受け１２の下方位置に下方通気口１３を、上方位置には上方通気口１４を設け、底面近くに空気放出管１５を配設してなる。
【００１２】
この空気放出管１５は、多数の放出口１６を備え、本体側面から外部に突出させ、突出部分にポンプ連結部１７を設けてなる。
【００１３】
なお前記通気口１３，１４の一部又は全部をスライド開閉できる機構を付設しても良い。
【００１４】
目皿体２は、耐熱鋼板製で、炭Ａの火床となる火皿部２１の周囲に、後述する周壁体３の位置決め凹部２２を設け、更に前記凹部の外周に通気口２３を設けたものである。
【００１５】
周壁体３は、前記目皿体２と同様に耐熱鋼板で形成したもので、下縁が前記位置決め凹部２２と対応し、上縁が本体１の上部開口部と対応する上方が拡がった傾斜側面を備えた筒状体である。なお上縁は段差部３１を設けて網載せ部としてなる。
【００１６】
焼き網４は、周知の網であり、ポンプ５は市販されている足踏みポンプが最適である。なお焼き網に代えて調理用鉄板を使用しても良いし、ポンプも手で動作させるポンプでも良い。
【００１７】
前記のコンロの使用は、本体１内に目皿体２及び周壁体３をセットし、ポンプ５の空気供給ホース５１を連結部１７に繋ぎ、燃料である炭Ａを火皿部２１上に載置し、焼き網４をセットし、水盤部１１に水を張って本体１内に差し入れる。
【００１８】
そして炭内にマッチで着火できる固形燃料や、火のついた炭を加えること等で点火し、ポンプ５を作動させると、フイゴと同様に燃焼空気の大量供給で、炭Ａは短時間で赤熱状態となり、調理可能となる。
【００１９】
調理時には、本体１の下方通気口から燃焼用空気が導入され、火皿部２１を通過して赤熱した炭Ａに供給されることになり、炭Ａはゆっくりとした燃焼を継続することになる。勿論通気口１３，１４にスライド開閉機構を付設している場合には、燃焼用空気の道入量を調整できるので、所望の燃焼状態の維持が可能となる。
【００２０】
また周壁体３の外周面と接触する空気は暖められ、上部通気口１４から外気に放出されるので、当然この放出に伴って下方通気口１３から本体１に導入された空気の一部は、目皿体２の周囲通気口２３から周壁体３の外周空間に侵入することになり、結果的に本体１の温度上昇を抑えることになる。
【００２１】
従って本体１を完全な二重構造とすることなく、調理面積を大きくできて本体の加熱を抑制して安全な器具としているものである。
【００２２】
【発明の効果】
以上のように本発明は、箱形の本体と、耐熱鋼板製で、火皿部の周囲に通気口を設けて本体内部中間に配置した目皿体と、上方が拡がった傾斜側面を備えた耐熱鋼板製で、前記目皿体上に載置した周壁体とで構成され、特に本体側面における目皿体下方位置と上方位置にそれぞれ通気口を形成し、本体内の火皿部下方に、外部手動ポンプと連結可能とした空気放出管を配設してなる卓上用炭火コンロで、外部ポンプの使用で短時間で調理可能な状態とすることができ、また本体と火床部分との間を完全な二重構造とせずに三角空間として、本体の加熱防止と調理可能面積の拡大を同時に解決したものである。
【図面の簡単な説明】
【図１】本発明の実施形態の全部位の分解斜視図。
【図２】同使用状態の説明図（側面断面）。
【図３】同使用状態の説明図（一部切断した正面）。
【符号の説明】
１        本体
１１      水盤部
１２      目皿受け
１３      下方通気口
１４      上方通気口
１５      空気放出管
１６      放出口
１７      ポンプ連結部
２        目皿体
２１      火皿部
２２      位置決め凹部
２３      通気口
３        周壁体
３１      段差部
４        焼き網
５        ポンプ
【図１】
0003656063.tif 000002
【図２】
0003656063.tif 000003
【図３】
0003656063.tif 000004